(57)【特許請求の範囲】
【請求項１】
壁面に固定され、下端部が床に接触する固定フレームと、
前記固定フレームに前面方向に回動可能に取り付けられる回動フレームと、
前記回動フレームに縦方向に複数個並べて設けられ、表示装置を支持する支持部材と、
前記回動フレームの下端に設け得られ、前記回動フレームを回動可能に支持するヒンジ部材と、
前記回動フレームを前記回動フレームの回動方向に巻き取り可能なワイヤによって支持する吊り下げ装置と、
を備える表示装置設置装置。
【請求項２】
前記回動フレームを前記固定フレームに着脱可能に支持する係止部材をさらに備える請求項１記載の表示装置設置装置。
【請求項３】
前記係止部材は、
前記固定フレームの下端部に前記係止部材を開錠するハンドルを有する請求項２記載の表示装置設置装置。
【発明の詳細な説明】
【技術分野】
【０００１】
本発明の実施形態は、表示装置設置装置に関する。
【背景技術】
【０００２】
商業施設や、交通管制室などには大型の表示装置が複数台並べて壁面に取り付けられる場合がある。
【０００３】
このような従来の壁面ディスプレイは、表示装置を取り付け具によって個別に壁面に固定していた。
【０００４】
従って、取り付け時には高所に表示装置を取り付けるために足場を組まなければならず、また、大きな表示装置の場合は特に画面に傷をつけないように取り付けなければならず、工数がかかっていた。
【０００５】
また、メンテナンスの際には、高所の表示装置に対して作業を行うために、再び足場を組まなければならず、また、作業員が高所作業に慣れていない場合危険が伴うことがあった。
【先行技術文献】
【特許文献】
【０００６】
【特許文献１】特開２０１１−７５７５７号公報
【発明の概要】
【発明が解決しようとする課題】
【０００７】
従って、表示装置の取り付け及び取り外しが容易な表示装置設置装置が求められている。
【課題を解決するための手段】
【０００８】
上記の課題を解決するために、本発明の一実施形態は、壁面に固定され、下端部が床に接触する固定フレームと、固定フレームに前面方向に回動可能に取り付けられる回動フレームと、回動フレームに縦方向に複数個並べて設けられ、表示装置を指示する支持部材と、回動フレームの下端に設け得られ、回動フレームを回動可能に支持するヒンジ部材と、回動フレームを回動フレームの回動方向に巻き取り可能なワイヤによって支持する吊り下げ装置と、を備える表示装置設置装置を提供する。
【図面の簡単な説明】
【０００９】
【図１】表示装置設置装置の正面図である。
【図２】表示装置設置装置の右側面図である。
【図３】表示装置設置装置の動作を示す図である。
【図４】係止部材の例を示す図である。
【図５】係止部材が外れた状態を示す図である。
【図６】カンヌキ棒固定部材の例を示す図である。
【発明を実施するための形態】
【００１０】
以下、表示装置設置装置の一実施形態について、図面を用いて詳細に説明する。
【００１１】
本実施形態の表示装置設置装置は、床面および壁面に固定される固定フレームと、固定フレームに前面方向に回動可能に取り付けられる回動フレームと、回動フレームに設けられ、表示装置を支持する支持部材と、回動フレームの下端に設けられ、回動フレームを回動可能に支持するヒンジ部材と、回動フレームを回動フレームの回動方向に巻き取り可能なワイヤによって支持する吊り下げ装置と、を備える。
【００１２】
図１は、表示装置設置装置１の正面図である。図２は、表示装置設置装置１の右側面図である。図１及び図２に示すように、表示装置設置装置１は、床面および壁面１１１に固定される固定フレーム１１と、固定フレーム１１に前面方向に回動可能に取り付けられる回動フレーム１１２と、回動フレーム１１２に設けられ、表示装置１６を支持する支持部材１４と、回動フレーム１１２の下端に設けられ、回動フレーム１１２を回動可能に支持するヒンジ部材１３と、回動フレーム１１２を回動フレーム１１２の回動方向に支持する吊り下げ装置１２と、を備える。
【００１３】
回動フレーム１１２は、前面、すなわち壁面１１１に対向する面に支持部材１４を縦方向に複数並べて備える。
【００１４】
吊り下げ装置１２は、回動フレーム１１２の上端部に係止され、固定フレーム１１の上端部に設けられる滑車１２１を介して、固定フレーム１１の下端部に設けられる巻き取り装置１２３によって巻き取られるワイヤ１２２を備える。
【００１５】
表示装置設置装置１はさらに、回動フレーム１１２を固定フレーム１１に着脱可能に支持する係止部材１５を備える。
【００１６】
係止部材１５は、ストライクボックス１５１と、ストライクボックス１５１に挿入されるカンヌキを備えるカンヌキ棒１５２と、カンヌキ棒１５２を上下方向に昇降操作するハンドル１５３と、を備える。
【００１７】
なお、固定フレーム１１は少なくとも壁面に固定されるが、床面に接触し、固定されなくてもよい。また、固定フレーム１１は床面から多少離間していてもよい。
【００１８】
図３は、表示装置設置装置１の動作を示す図である。図３に示すように、表示装置設置装置１は、ハンドル１５３を操作してカンヌキ棒１５２を下方に変位させるとカンヌキがストライクボックス１５１から外れる。そして、表示装置設置装置１は、巻き取り装置１２３からワイヤ１２２が引き出されると、ヒンジ部材１３を回動の中心として矢印Ｘに示す前面方向にほぼ水平になるまで回動する。
【００１９】
従って、作業員は、足場を使用せずに床面に立って表示装置１６のメンテナンスを行うことが可能となる。
【００２０】
図４は、係止部材１５の例を示す図である。図５は、係止部材１５が外れた状態を示す図である。図４及び図５に示すように、係止部材１５は、回動フレーム１１２に固定され、カンヌキ１５２Ａが挿通されるカンヌキ穴１５１Ａを有するストライクボックス１５１と、カンヌキ１５２Ａを有しカンヌキ１５２Ａの挿抜方向に変位するカンヌキ棒１５２と、を備える。
【００２１】
係止部材１５は、回動フレーム１１２を固定フレーム１１に支持させる場合は、ストライクボックス１５１のカンヌキ穴１５１Ａにカンヌキ１５２Ａが挿通される。
【００２２】
回動フレーム１１２を回動させる場合、カンヌキ棒１５２が矢印Ｘ１に示す下方に変位され、カンヌキ１５２Ａがストライクボックス１５１のカンヌキ穴１５１Ａから引き抜かれる。
【００２３】
ストライクボックス１５１は、固定フレーム１１に固定される支持板１５４のもうけられたストライクボックス１５１を挿通する挿通孔１５４Ａから、矢印Ｘ２に示す前面方向に外れる。
【００２４】
従って、回動フレーム１１２は前面方向に回動可能となる。
【００２５】
図６は、カンヌキ棒固定部材の例を示す図である。図６に示すように、カンヌキ棒１５２は、下端部にハンドル１５３と、ボルト挿通孔を有する固定プレート１５２Ｂと、を備える。
【００２６】
また、固定フレーム１１は、固定プレート１５２Ｂに対応する位置にボルト挿通孔を有する受けプレート１１１Ａを備える。
【００２７】
カンヌキ穴１５１Ａにカンヌキ１５２Ａを挿通して回動フレーム１１２を固定フレーム１１に固定する場合、ハンドル１５３を押し上げ、固定プレート１５２Ｂのボルト挿通孔と受けプレート１１１Ａボルト挿通孔にボルト１５２Ｃを挿通して伴締めする。
【００２８】
カンヌキ穴１５１Ａからカンヌキ１５２Ａを抜いて回動フレーム１１２を固定フレーム１１から離す場合、ボルト１５２Ｃを外してハンドル１５３を押し下げる。
【００２９】
以上述べたように、本実施形態の表示装置設置装置１は、少なくとも壁面１１１に固定される固定フレーム１１と、固定フレーム１１に前面方向に回動可能に取り付けられる回動フレーム１１２と、回動フレーム１１２に設けられ、表示装置１６を支持する支持部材１４と、回動フレーム１１２の下端に設けられ、回動フレーム１１２を回動可能に支持するヒンジ部材１３と、回動フレーム１１２を回動フレーム１１２の回動方向にワイヤ１２２によって支持する吊り下げ装置１２と、を備える。
【００３０】
回動フレーム１１２は、係止部材１５が開錠され、吊り下げ装置１２のワイヤ１２２が巻き取り装置１２３から引き出されると前面方向にほぼ水平になるまで回動する。
【００３１】
従って、表示装置の取り付け及び取り外しが容易となるという効果がある
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３２】
１：表示装置設置装置
１１：固定フレーム
１２：吊り下げ装置
１３：ヒンジ部材
１５：係止部材
１１２：回動フレーム
【図１】
0005639677.tif 000002
【図２】
0005639677.tif 000003
【図３】
0005639677.tif 000004
【図４】
0005639677.tif 000005
【図５】
0005639677.tif 000006
【図６】
0005639677.tif 000007